(57)【特許請求の範囲】
【請求項１】
一端側でてんぷ受に取付けられ他端側にてん輪及びてん真からなる中心側構造体に取外し可能に係合される先端側係合部を備えた保持具を有し、
前記保持具が前記中心側構造体に係合された状態において、前記保持具は、前記中心側構造体が前記てんぷ受に対して前記てん真の延在方向に相対変位されるのを規制するように、前記中心側構造体を支えるてんぷ構造体。
【請求項２】
前記保持具が、前記一端側において前記てん真と平行な中心軸線のまわりで回動可能に前記てんぷ受けに取付けられている請求項１に記載されるてんぷ構造体。
【請求項３】
前記保持具の前記先端側係合部が、前記てん真に係合可能なてん真係合部からなる請求項２に記載されるてんぷ構造体。
【請求項４】
前記保持具の前記てん真係合部が、前記てん真のうち前記てん輪の取付け部と振り座体の取付け部との間に位置する保持具係合部において、前記てん真に係合されるように構成されている請求項３に記載されるてんぷ構造体。
【請求項５】
前記てん真の前記保持具係合部の横断面が円形である請求項４に記載されるてんぷ構造体。
【請求項６】
前記てん真の前記保持具係合部の横断面が非円形である請求項４に記載されるてんぷ構造体。
【請求項７】
前記てん真の前記保持具係合部の横断面が多角形状又は長円形状である請求項６に記載されるてんぷ構造体。
【請求項８】
前記てん真の前記保持具係合部の非円形横断面の向きは、前記てん真の保持具係合部が前記保持具の前記てん真係合部に係合された際に、前記振り座がアンクルに対して相対的に採る回転位置に応じて規定されている請求項６又は７に記載されるてんぷ構造体。
【請求項９】
前記保持具の前記てん真係合部が、前記てん真の前記保持具係合部の横断面の半分と相補的形状の凹部を有する請求項３から８までのいずれか一項に記載されるてんぷ構造体。
【請求項１０】
請求項１から９の何れか一項に記載されるてんぷ構造体を備えた調速脱進器。
【請求項１１】
請求項１０に記載される調速脱進器を備えた機械式時計。
【発明の詳細な説明】
【技術分野】
【０００１】
本発明は、機械式時計のてんぷ構造体に係り、より詳しくは、てんぷ構造体、これを備えた調速脱進器及び機械式時計に係る。
【背景技術】
【０００２】
機械式時計のてんぷ構造体では、渦巻状のひげぜんまいが全体をつないでいる（例えば、特許文献１）。すなわち、ひげぜんまいは、てん輪と一体的なてん真に装着されたひげ玉に渦巻状形状の内周端部で取付けられ、てんぷ受に装着されたひげ持に渦巻状形状の外周端部で取付けられている。てんぷ受はてん真の上端側に位置するてんぷ上軸受を支えているけれども、てん真やてん輪を直接的には支えていない。
【０００３】
従って、機械式時計の組立等を目的として、地板に予め配置されたてんぷ下軸受にてん真の下端が嵌合されるようにてんぷ構造体を組込もうとする際、てんぷ受を治具やピンセット等でつまむと、てん輪及びてん輪からなる中心側構造体が自重により垂れ下がってひげぜんまいに対して過度の伸張力を及ぼし、ひげぜんまいに対してその弾性限界を超える歪みを残す虞れがある。
【０００４】
また、てんぷ構造体を地板に組込むに際しては、てん真の振り座体に取付けられた振り石が、てんぷ構造体と協働して調速脱進器を構成するアンクルのハコ先の間に係合されるように、てんぷ構造体を組込む必要があり、従来、その組み込みが容易ではないか、熟練を要する。この組み込みに手間取ると、ひげぜんまいに残留歪みが生じる虞れが一層増大する。
【特許文献１】特開２００６−２３４５２８
【発明の開示】
【発明が解決しようとする課題】
【０００５】
本発明は、前記諸点に鑑みなされたものであって、その第一の目的は、地板への組込みに際して、ひげぜんまいが伸びる虞れを避け得、その組込みが容易に行われ得るてんぷ構造体、これを備えた調速脱進器及び機械式時計を提供することにある。
【０００６】
本発明の別の目的は、アンクルとの係合が確実に行われ得るてんぷ構造体、これを備えた調速脱進器及び機械式時計を提供することにある。
【課題を解決するための手段】
【０００７】
本発明のてんぷ構造体は、前記第一の目的を達成すべく、一端側でてんぷ受に取付けられ他端側にてん輪及びてん真からなる中心側構造体に取外し可能に係合される先端側係合部を備えた保持具を有し、該保持具が前記中心側構造体に係合された状態において、該保持具は、中心側構造体がてんぷ受に対しててん真の延在方向に相対変位されるのを規制するように、中心側構造体を支える。
【０００８】
本発明のてんぷ構造体では、「一端側でてんぷ受に取付けられ他端側にてん輪及びてん真からなる中心側構造体に取外し可能に係合される先端側係合部を備えた保持具」が設けられ、「該保持具は、該保持具が前記中心側構造体に係合された状態において、中心側構造体がてんぷ受に対しててん真の延在方向に相対変位されるのを規制する」ので、保持具を中心側構造体に係合させた状態では、ひげぜんまいに過度なひずみを生じさせる虞れなく組立や修理の際にてんぷ受を治具等で掴んでてんぷ構造体を移動させ得る。即ち、組立作業性が高められ得る。従って、ひげぜんまいを伸ばす虞れがなくてんぷ構造体を地板等のてんぷ下軸受に容易且つ確実に組込み得る。従って、時計の組立や修理が容易になる。なお、分解の際にも、てんぷ構造体の保持具を中心側構造体に係合させておき、てんぷ受をつかんでてんぷ構造体を取り外し得るので、分解も容易に行われ得る。また、本発明のてんぷ構造体では、「保持具が中心側構造体に取外し可能に係合される」ので、てんぷ構造体を時計本体（素体）の所定箇所に組込んだ後、保持具と中心側構造体との係合を解除するだけで、てんぷ構造体を動作可能状態に設定し得る。
【０００９】
本発明のてんぷ構造体では、典型的には、保持具が、前記一端側においててん真と平行な中心軸線のまわりで回動可能にてんぷ受けに取付けられている。
【００１０】
その場合、回動を許容する単純な構造を備えるだけで、てん真の延在方向への中心側構造体の変位を保持具が確実に規制し得、且つ係合状態と係合解除状態とを確実に採らせ得る。また、保持具を係合解除位置に移動させるだけでてんぷ構造体の動作を許容し得る。従って、組み込み後の修理の際にも、保持具が同様に利用されて、てんぷ構造体の容易な組込みを可能にする。但し、所望ならば、てんぷ構造体の組込み完了後、保持具が該構造体から完全に分離ないし取外されるようになっていてもよい。
【００１１】
本発明のてんぷ構造体では、典型的には、保持具の前記先端側係合部が、てん真に係合可能なてん真係合部からなる。その場合、保持具の係合部と中心側構造体との係合が容易に行われ得る。但し、保持具の前記先端側係合部は、中心側構造体のうちてん真の代わりにてん輪に係合されるようになっていてもよい。
【００１２】
本発明のてんぷ構造体では、典型的には、保持具のてん真係合部が、てん真のうちてん輪の取付け部と振り座体の取付け部との間に位置する保持具係合部において、てん真に係合されるように構成されている。
【００１３】
その場合、保持具のてん真係合部とてん真の保持具係合部との係合が容易に行われ得る。なお、てん真のうちてん輪の取付け部と振り座体の取付け部との間には、従来から元々隙間があり得ることから、この隙間を保持具係合部として利用し得るので、従来の形状に対して実質的な変更を加えることなく、大きな改良が行われ得ることになる。
【００１４】
本発明のてんぷ構造体では、典型的には、てん真の保持具係合部の横断面が円形である。
【００１５】
その場合、保持具とてん真の保持具係合部との係合及び係合解除が容易に行われ得る。
【００１６】
本発明のてんぷ構造体では、典型的には、てん真の保持具係合部の横断面が非円形である。その場合、中心側構造体所定角度回転位置で保持し得る。
【００１７】
本発明のてんぷ構造体では、典型的には、てん真の保持具係合部の横断面が多角形状又は長円形状である。
【００１８】
本発明のてんぷ構造体では、典型的には、てん真の保持具係合部の非円形横断面の向きは、てん真の保持具係合部が保持具のてん真係合部に係合された際に、振り座がアンクルに対して相対的に採る回転位置に応じて規定されている。
【００１９】
その場合、振り石と係合可能な所定の位置にハコ先が位置するようにアンクルさおを所定の回動位置に設定しておくと共にひげぜんまいが歪みを蓄えるような回動中心側構造体を保持具に係合させておき、てんぷ構造体をてんぷ下軸受が装着された地板に組付けた後、保持具のてん真係合部とてん真の保持具係合部の係合を解除することにより、ひげぜんまいの歪みの開放に応じて中心側構造体が回動され、振り座の振り石が回転されて、アンクルさおの先端のハコ先に係合するようにする。これにより、てんぷ構造体の組み込みの際に面倒なアンクルと振り石との係合関係を容易且つ確実に実現し得る
【００２０】
本発明のてんぷ構造体では、典型的には、保持具のてん真係合部が、てん真の保持具係合部の横断面の半分と相補的形状の凹部を有する。
【００２１】
本発明の調速脱進器は、典型的には、上述のようなてんぷ構造体を備える。
【００２２】
本発明の機械式時計は、典型的には、上述のようなてんぷ構造体又は調速脱進器を備える。
【００２３】
この場合、機械式時計におけるてんぷ構造体の組付けや分解が容易になる。
【発明を実施するための最良の形態】
【００２４】
本発明の好ましい実施の形態を添付図面に示した好ましい実施例に基づいて説明する。
【実施例１】
【００２５】
図１から図４には、本発明の好ましい第一実施例のてんぷ構造体１、これを備えた調速脱進器２及び機械式時計３が示されている。
【００２６】
てんぷ構造体１は、図１〜図３からわかるように、ひげぜんまい１０、てん真２０、てん輪２６、てんぷ受３０、ひげ持構造体３５及び緩急針構造体４０を有する。
【００２７】
てん真２０は、中央に大径軸部２１を備えると共に、その上下に中径軸部２２，２３を備える。てん真２０の大径軸部２１にはてん輪２６が嵌着され、上側中径軸部２２にはひげ玉２４が嵌着され、下側中径軸部２３には振り座２９の振り座体２７が嵌着されている。ひげ玉ないしひげ受２４の溶接部２４ａには、渦巻き状ひげぜんまい１０が内周側端部１１で取付けられている。
【００２８】
ひげ持構造体３５は、てんぷ受３０に支持されたひげ持受３６と、該ひげ持受３６の孔に嵌合されたひげ持３７と、該ひげ持３７をひげ持受３６に固定するひげ持受ねじ３８とを有する。ひげぜんまい１０は、外周側端部１２で、ひげ持構造体３５のひげ持３７の溶接部３７ａに取付けられている。
【００２９】
てんぷ受３０は、周壁部３１を備えた開口部３２を有し、該周壁部３１の外側にはひげ持受３６及び緩急針構造体４０が嵌合され、該開口部３２内にはてんぷ上軸受３３が嵌合されている。てんぷ上軸受３３は、例えば、てんぷ上外枠３３ａ、てんぷ可動穴石枠体３３ｂ、てんぷ上穴石３３ｃ、てんぷ上受石３３ｄ及びてんぷ上受石押えばね３３ｅを有する。てん真２０は、作動状態では、上端のほぞ部２０ａでてんぷ上軸受３３のてんぷ上穴石３３ｃの穴に回転自在に挿入されている。なお、てんぷ受３０は、更に、円形孔部３０ａを備える。
【００３０】
緩急針構造体４０は、ひげ棒４１を備えた緩急針本体４２や緩急針尾部４３を有する。緩急針尾部４３と係合する微動レバー４４は、てんぷ受３０の孔３４に嵌合されている。
【００３１】
振り座体２７は、てん真２０の下側中径軸部２３に嵌着された管状部２７ａと、該管状部２７ａの上端から径方向外向きに拡がったフランジ状部２７ｂとを一体的に備える。振り座体２７のフランジ状部２７ｂの偏心位置には、振り石２８が取付けられている。
【００３２】
てん真１０のうちてん輪２６が取付けられた大径部２５と振り座体２７が取付けられた下側中径軸部２３との間には、保持具係合部５０が形成されている。この例では、保持具係合部５０は、横断面が円形の環状部からなる。
【００３３】
なお、てん真１０のうちてん輪２６が嵌着された大径部２５と振り座体２７が嵌着された下側中径軸部２３との間には、従来から両部分２５，２３との中間的な太さの大径部がある。従って、ここでは、この大径部を保持具係合部５０として利用することになる。但し、所望ならば、その軸方向長さや径や横断面形状を所望のものにすべく、従来とは異なる長さ及び形状のてん真を用いるようにしてもよい。
【００３４】
てんぷ構造体１は、更に、保持具ないし保持部品６０を備える。保持具６０は、円柱状の軸部６１と、該軸部６１に対して垂直な面内で径方向に延びた腕部６２と、該腕部６２の先端のてん真係合部６３とを有する。保持具６０の軸部６１は、てんぷ受３０の円形孔部３０ａに、中心軸線ＡのまわりでＡ１，Ａ２方向に回動可能に嵌合されている。なお、軸部６１がてんぷ受３０に一体的で保持具６０の腕部６２が基端部で軸部６１に対してＡ１，Ａ２方向に回動可能に嵌合されていてもよい。
【００３５】
てん真係合部６３は、Ｕ字状形状を有し、「Ｕ」の凹部６４でてん真２０の保持具係合部５０に係合可能である。より詳しくは、凹部６４は、てん真２０の保持具係合部５０の横断面の円の半分（半円）と相補的な半円形状の底壁部６４ａと、該底壁部６４ａの半円の直径と同じ間隔の平面状側壁部６４ｂ，６４ｂとを有する。
【００３６】
なお、保持具６０の軸部６１の上端面には係合溝６５が形成されている。従って、該係合溝６５にドライバ等を係合させてＡ１，Ａ２方向に軸部６１を回動させることにより、保持具６０の腕部６２がＡ１，Ａ２方向に回動されて、その先端のてん真係合部６３が、係合保持位置Ｐ１（例えば、図１）を採って、てん真２０の保持具係合部５０に係合されて係合保持状態Ｓ１（例えば、図１）なったり、係合解除位置Ｐ２（例えば、図２）を採って、該係合が解除されて係合解除状態Ｓ２（例えば、図２）になったりする。保持具６０がこの係合解除位置Ｐ２にある場合、中心側構造体５の中心軸線Ｃのまわりでの往復回動動作を妨げない。
【００３７】
図２に示した通り、保持具６０がＡ２方向に回動されて該保持具６０の先端の巻真係合部６３とてん真２０の保持具係合部５０との係合が解除された係合解除状態Ｓ２になるように保持具６０が係合位置Ｐ２を採ると、てんぷ受３０を持った状態ででは、てん真２０及びてん輪２６を含む中心側構造体５がＢ１方向に垂下がるので、該垂下がりによってひげぜんまい１０が延びる虞れがある。
【００３８】
ところが、図１に示した通り、保持具６０がＡ１方向に回動されて該保持具６０の先端の巻真係合部６３の凹部６４にてん真２０の保持具係合部５０が嵌り込んで保持具係合部５０が巻真係合部６３に係合する係合状態Ｓ１になるように保持具６０が係合位置Ｐ１を採ると、てん真２０及びてん輪２６を含む中心側構造体５が保持具６０によって支えられるので、該中心側構造体５がてんぷ受３０に対してＢ１方向に垂下がるのを禁止し、該垂下がりによってひげぜんまい１０が延びるのを防ぎ得る。
【００３９】
てんぷ構造体１が組込まれるべき時計本体は、図３の下部に示したような構造を有する。即ち、図３の下部には、てんぷ構造体１が組込まれる前の状態にある時計本体素体４ａの調速脱進器素体２ａを示し、てんぷ構造体１が調速脱進器素体２ａに組込まれてなる調速脱進器２及び該調速脱進器２を含む時計本体４は図４に示す構造を採る。
【００４０】
時計本体素体４ａは、図３の下部からわかるように、地板７や三番受８やアンクル受９を備える。地板７は、てんぷ下軸受３９が取付けられたてんぷ下軸受取付部７ａや、脱進器７０を構成するアンクル７１のアンクル真７２の下側ほぞ部７２ａを支えるアンクル真下側ほぞ受７２ｂを支持するほぞ受支持部７ｂや、脱進器７０を構成するがんぎ車７３のがんぎ真７４の下側ほぞ部７４ａを支えるがんぎ真下軸受７４ｂが取付けられたがんぎ真下軸受取付部７ｃを備える。一方、三番受８は、がんぎ車７３のがんぎ真７４の上側ほぞ部７４ｃを支えるがんぎ真上軸受７４ｄが取付けられたがんぎ真上軸受取付部８ａを備える。また、アンクル受９は、アンクル７１のアンクル真７２の上側ほぞ部７２ｃを支えるアンクル真上側ほぞ受７２ｄを支持するほぞ受支持部９ａを備える。
【００４１】
なお、図示しない入ツメ及び出ツメでがんぎ車７３のがんぎ歯車７３ａに係合可能なアンクル７１は、振り石２８を抱え込み得るハコ先７５，７５及び剣先７６をアンクルさお７７の先端に備える。
【００４２】
ここで、アンクル７１は、アンクル真７２に沿った回転（回動）中心軸線Ｄを中心として、Ｄ１，Ｄ２方向に回動可能であり、がんぎ車７３はがんぎ真７４に沿った回転（回動）中心軸線Ｅを中心として、Ｅ１，Ｅ２方向に回動可能である。
【００４３】
以上の如く構成されたてんぷ構造体１では、前述の通り、てんぷ受３０に対するＢ１，Ｂ２方向に相対変位が実際上禁止ないし規制されるように、てん真２０及びてん輪２６からなる中心側構造体５が保持具６０によって支えられているので、てんぷ受３０を持って該てんぷ受３０を持ち上げれば、中心側構造体５がてんぷ受３０と実際上一体的に持ち上げられる。従って、てんぷ受３０を持っててんぷ構造体１を時計本体素体４ａの調速脱進器素体２ａのところに近づける際に、ひげぜんまい１０にはＢ１，Ｂ２方向の力がかかる虞れがない。それ故、てんぷ受３０を持って、てんぷ受３０の穴３０ｂ，３０ｃが地板７の対応する突起部７ｄ，７ｅに嵌り且つてん真２０の下側のほぞ部２０ｂが時計本体素体４ａの調速脱進器素体２ａのてんぷ下軸受３９のほぞ穴３９ａに嵌るように、且つ振り石２８がアンクル７１のハコ先７５，７５間に係合されるように、てんぷ構造体１（より詳しくはその素体１ａ）を、主としてＢ１方向に相対変位させて、時計本体素体４ａの調速脱進器素体２ａに取付ける。
【００４４】
この取付が、完了すると、図４に示したように完成状態のてんぷ構造体１を備え調速脱進器２を備えた時計本体４ができ上がる。
【００４５】
ここで、このてんぷ構造体１（より詳しくは、てんぷ構造体素体１ａ）では、てん輪２６及びてん真２０からなる中心側構造体５とてんぷ受３０との間におけるＢ１，Ｂ２方向の相対変位が保持具６０によって禁止ないし規制されているので、ひげぜんまい１０に過度な引張り応力がかかることを危惧することなく、てんぷ構造体１（より詳しくは、てんぷ構造体素体１ａ）を時計本体素体４ａの調速脱進器素体２ａの所定部位に対して近づけて該調速脱進器素体２ａに装着し得る。従って、その組み込みが、容易且つ確実に行われ得る。
【００４６】
すなわち、このてんぷ構造体１では、中心側構造体５が保持具６０によっててんぷ受３０に対してＢ１，Ｂ２方向に不動に保持されているので、てんぷ受３０をピンセットその他の保持工具で保持し変位させるだけで、中心側構造体５や該中心側構造体５とてんぷ受３０に取付けられたひげ持構造体３５とをつなぐひげぜんまい１０もてんぷ受３０と一体的に保持され変位されるので、てんぷ構造体１のうちてんぷ受３０以外の部品を保持することなくして、てんぷ構造体１を所定の配設位置に配設し得る。すなわち、このてんぷ構造体１では、上述のように、ひげぜんまい１０に過度の張力がかかる虞れがないだけでなく、例えば、てん輪２６を保持する必要がないから、高度に形状が設定されているてん輪２６に変形を生じさせる虞れがなく、また、指等がてん輪２６に触れててん輪２６を汚損させて重量バランスを変動させたりする虞れもない。
【００４７】
更に、このてんぷ構造体１では、保持具６０が保持位置Ｐ１にあって中心構造体５を保持している状態Ｓ１においては、中心側構造体５がひげぜんまい１０を介しててん輪３０にぶら下がるのを避け、ひげぜんまい１０に過度の張力がかかるのを避けているので、てん輪３０を所望の方向に高速で移動させたり加速度運動させることも可能である。また、このてんぷ構造体１の状態Ｓ１では、従来と異なり、ひげぜんまい１０が中心側構造体５の重みで伸ばされているわけではないから、逆に、てん真２０のほぞ部をてんぷ下軸受３９の所定のほぞ穴に挿入すべく、ゆっくりとてんぷ構造体１を移動させることにより、てんぷ受３０の保持時間が長くなっても、ひげぜんまい１０に歪が残る虞れがない。
【００４８】
なお、実際の組立に際しては、アンクル７１のハコ先７５，７５に対して振り座２９の振り石２８が丁度係合され得るようにアンクル７１のアンクルさお７７の中心軸線Ｄのまわりでの回動状態と中心軸線Ｃの回りでの中心側構造体５の回動状態とを適合させて、てんぷ構造体１のてん真２０の下側ほぞ部を時計本体素体４ａの地板７に装着されたてんぷ下軸受３９の穴３９ａに挿設することにより、組立を行う。
【００４９】
時計本体素体４ａの調速脱進器素体２ａに対するてんぷ構造体１の組込みが、図４に示したように完了すると、軸部６１の端面の溝６５にマイナスドライバの如き工具を当てて軸部６１をＡ２方向に回動させることにより、中心側構造体５のてん真２０の保持具係合部５０から保持具６０の腕部６２の先端のてん真係合部６３を外し、保持具６０の腕部６２を図２に示したような係合解除位置Ｐ２に移動させる。なお、保持具６０の腕部６２の係合解除位置Ｐ２は、該腕部６２が中心側構造体５の往復回動運動を妨げず、且つ他の時計部品の動作や着脱の邪魔にならず、更に、過度にスペースを占有しない限り、どのような位置でもよい。
【００５０】
なお、この保持具６０は、てんぷ構造体１を最初に時計本体素体３ａに組込む際に中心側構造体５をてんぷ受３０に仮固定しておくために用いられ得るだけでなく、機械式時計の分解修理等の際にも、同様に用いられ得る。すなわち、分解修理の際における組付けは、最初の組立時とほぼ同様であるから繰り返しを避けるとして、分解の際には、保持具６０をその係合解除位置Ｐ２から係合位置Ｐ１に移動させててんぷ構造体１の中心側構造体５をてんぷ受３０に仮固定しておいて、てんぷ構造体１を時計本体素体４ａの調速脱進器素体２ａから取外せばよい。
【００５１】
以上のようなてんぷ構造体１では、従来のてんぷ構造体と比較してひげぜんまいに残留歪みを生じさせる虞れがはるかに低く、更に、組み込み途中でのひげぜんまいの伸びの虞れを配慮する必要がないことから、てんぷ構造体１の組込み作業性が高められることは上記のとおりであるけれども、上記のてんぷ構造体１においても、てんぷ構造体１の中心側構造体５の中心軸線Ｃのまわりでの回動位置は規定されていないので、該てんぷ構造体の振り座の振り石がアンクルに係合され得るようにてんぷ構造体１を配置することは必ずしも容易ではない。
【００５２】
例えば、てんぷ構造体１の組込みが完了して保持具６０をその係合位置Ｐ１から係合解除位置Ｐ２に移動させた丁度そのとき、図7に示した状態であるとする。振り座２７の振り石２８が図７に示した位置ＣｋからＣ１方向に回動するようにひげぜんまい１０が弾性変形された状態にあるとする。一方、例えば、図７に示したように、アンクル７１のアンクルさお７７がＤ１方向に揺動してそのハコ先７５の外側面７５ａでアンクル受９の凹部９ｃに当接している状態あるとする。この場合、振り座２７の振り石２８はアンクル７１のアンクルさお７７の先端のハコ先７５，７５にうまく係合しない。即ち、てんぷ構造体１では、該てんぷ構造体１の振り座２７の振り石２８のＣ１，Ｃ２方向の回動位置（回転位置ないし位相）が確定されていないので、アンクルさお７７のＤ１，Ｄ２方向回動位置をどこに設定すべきかも確定できず、この点に、組込みの際の試行錯誤が残り、この試行錯誤の際にひげぜんまい１０に不測の歪を生じさせる虞れもある。
【００５３】
次に、上記のような不具合の生じる虞れも回避し得るようにすべく、保持具及びてん真の相互に係合する部分の形状を異ならせるように更に改良した例について、図５〜図６及び図８に基づいて説明する。以下説明するこの図５〜図８に示した変形例のてんぷ構造体１Ａ、該てんぷ構造体１Ａを備えた調速脱進器２Ａについて、図１〜図４に示したてんぷ構造体１を備えた調速脱進器２の部品や部分や要素と同様な部品や部分や要素には同一の符号を付し、部分的に異なるところのある部品や部分や要素には図１〜図４で用いた符号の後に符号「Ａ」を付してある。
【００５４】
この変形例のてんぷ構造体１Ａでは、てん真２０Ａの保持具係合部５０Ａは、横断面形状が円形の代わりに、非円形形状を有する。てん真２０Ａの保持具係合部５０Ａは、より詳しくは、この例では、円の直径方向に対向する二箇所が平行な平面５１，５２に沿って落とされ円の円弧状部分５３，５４が残った全体として概ね長円形状Ｆを有する。
【００５５】
また、この変形例のてんぷ構造体１Ａでは、てん真２０Ａの保持具係合部５０Ａと係合する保持具６０Ａのてん真係合部６３Ａは、てん真２０Ａの保持具係合部５０Ａの横断面のうち一方の円弧状部分５４又は５３以外の部分５１，５２及び５３又は５４とほぼ相補的な形状を有する。より詳しくは、保持具６０Ａのてん真係合部６３Ａの凹部６４Ａは、円弧状の底壁部６４ａＡに加えて平行な側壁部６４ｂＡ，６４ｂＡを有する。側壁部６４ｂＡ，６４ｂＡ間の間隔は、てん真２０Ａの保持具係合部５０Ａの平行な平面５１，５２間の厚さとほぼ実質的に同じで厳密には該厚さよりも少し大きい。即ち、てん真２０Ａの保持具係合部５０Ａの側壁部６４ｂＡ，６４ｂＡは、相互に平行な平面からなる点ではてん真２０の保持具係合部５０の側壁部６４ｂ，６４ｂと同じであるけれども、側壁部６４ｂＡ，６４ｂＡ間の厚さは、側壁部６４ｂ，６４ｂ間の厚さ（断面が円形の保持具係合部５０の直径にほぼ一致する大きさ）よりも小さい。この保持具６０Ａのてん真係合部６３Ａの凹部６４Ａのうち底壁部６４ａＡの円弧の長さは、図１〜図４に示した実施例の保持具６０のてん真係合部６３の凹部６４を構成する底壁部６４ａの円弧の長さよりも短い。なお、底壁部６４ａＡは、典型的には円弧からなるけれども、その代わりに、任意の凹状の曲線（曲面）であってもよく、場合によっては直線状（平面状）又は凹部内に向かって突出した凸状の曲線（曲面）であってもよい。その場合、凹部６４Ａは、てん真２０Ａの係合部５０Ａと同様な厚さを有し平面部６４ｂＡ，６４ｂＡにおいて係合部５０Ａの平面状側面５１，５２と係合する。
【００５６】
従って、保持具６０Ａは、てん輪２６及びてん真２０Ａからなる中心側構造体５Ａが特定の回転位置（回動位置）Ｃｆにある場合に限って、てん真２０Ａの保持具係合部５０Ａと係合可能である。この回動位置Ｃｆでは、ひげぜんまい１０に歪が蓄えられ、保持具６０Ａのてん真係合部６３Ａによるてん真２０Ａの保持具係合部５０Ａとの係合が解除されると、てん輪２６及びてん真２０Ａからなる中心側構造体５Ａは、その回転中心軸線Ｃを中心にしてＣ１，Ｃ２方向に往復回動される。
【００５７】
保持具６０Ａは、中心側構造体５Ａが特定の回動位置Ｃｆにある場合に限って該中心側構造体５Ａのてん真２０Ａの保持具係合部５０Ａに係合し得る限り、保持具６０Ａの係合部６３Ａの凹部６４Ａの形状及び構造や中心側構造体５Ａのてん真２０Ａの保持具係合部５０Ａの形状及び構造は、他のどのようなものであってもよい。
【００５８】
なお、中心側構造体５Ａが上記の特定の回動位置Ｃｆにある場合、図８に示したように、振り石２８がアンクル７１のハコ先７５，７５から離れた回動位置にある。ここで、回動位置Ｃｆは、最低限、ひげぜんまい１０に対して、ある程度以上に巻き上げる方向の変形を与えるような回動位置であるか、ある程度以上に巻戻す方向の変形を与えるような回動位置であるかを規定するような位置であればよい。
【００５９】
変形例のてんぷ構造体１Ａは、てん真２０Ａが上記のように非円形の横断面を備えた保持具係合部５０Ａを有し、保持具６０Ａのてん真係合部６３Ａが保持具係合部５０Ａに丁度係合する形状を有する点を除いて、てんぷ構造体１と実際上同一の形状及び構造を有する。
【００６０】
調速脱進器２では、アンクル７１のアンクルさお７７は、ハコ先７５，７５の外側面７５ａ，７５ｂがアンクル受９の対面する側面９ｃ，９ｄに交互に当接する回動位置の間で、該側面９ｃ，９ｄによって規定された凹部９ｅ内で、Ｄ１，Ｄ２方向に回動可能である。なお、図８において、７８は入ツメ、７９は出ツメである。
【００６１】
以上の如く構成された機械式時計３Ａにおけるてんぷ構造体１Ａの組付けは、次のようにして行われる。
【００６２】
まず、てん輪２６及びてん真２０Ａからなる中心側構造体５Ａを所定の回転位置の近傍に回転させておいて、保持具６０Ａの腕部６２を位置Ｐ１ＡまでＡ１方向に回動させることにより非円形のてん真係合部６３Ａを該中心側構造体５Ａの非円形の保持具係合部５０Ａに係合させる。この係合状態Ｓ１Ａでは、保持具６０Ａは、非円形係合部６３Ａ，５０Ａ間の係合により、中心側構造体５Ａがてんぷ受３０に対してＢ１，Ｂ２方向に相対移動されること及びＣ１，Ｃ２方向に相対回動されることの両方を規制ないし実際上禁止する。
【００６３】
従って、このてんぷ構造体１Ａのてんぷ受３０を保持して持ち上げた場合、中心側構造体５Ａは、てんぷ受３０に対して、Ｂ１，Ｂ２方向及びＣ１，Ｃ２方向のいずれについても、実際上一体的に移動され、ひげぜんまい１０が伸びる等の事態が生じる虞れがない。
【００６４】
ここで、てんぷ受３０の保持及び持上げを、自動組立機械の持上げ治具がてんぷ受３０の保持及び持上げを行う場合でも、人が組立を行ってピンセットその他の保持及び持上げ具を操作しててんぷ受３０の保持及び持上げを行う場合でも、実際上相違はなく、実質的に同じである。
【００６５】
てんぷ受３０で保持され持上げられたてんぷ構造体１Ａは、そのてん真２０Ａの下側ほぞ部が地板７側の時計本体素体４ａのてんぷ下軸受３９の穴石の穴に挿入され、てんぷ受３０が止め穴で地板７に取付けられることにより、てんぷ構造体１Ａが時計素体４ａに取付けられる。
【００６６】
ここで、てんぷ下軸受３９に対するてん真２０Ａの組付けの際、てん真２０Ａが、図８に示したような所定回動位置Ｃｆにあり、振り座２９の振り石２８がアンクル７１のアンクルさお７７の先端のハコ先７５，７５から離れたところに位置するので、中心軸線Ｃのまわりの回動状態が地板７に対するてんぷ受３０の取付けに適した所定の向きになるようにてんぷ構造体１Ａをてんぷ下軸受３９に組み付ける限り、てん真２０Ａに取付けられた振り座２９がアンクル７１と実際上接触したりぶつかったりする等の干渉が生じる虞れがない。
【００６７】
なお、この例では、図８に示したとおり、ひげぜんまい１０がＣ２方向の反発ばね力を蓄えるように、ひげぜんまい１０に弾性歪が残らない中立位置に対しててん真２０Ａ及びてん輪２６からなる中心側構造体５ＡがＣ１方向に回転された回転位置Ｐ１Ａ及び状態Ｓ１Ａが、夫々、保持位置及び保持状態であると想定している。
【００６８】
その場合、図８に示したように、アンクル７１は、ドテピンとして働くアンクル受９の凹部９ｅの内面７５ａ，７５ｂのうち、中心側構造体５ＡのＣ２方向回転の際に振り座２９の振り石２８が最初に近接する側の内面７５ａに対して、対応するハコ先７５の一側７５ａが係合する回動位置Ｇ１に設定される。アンクル７１の回動位置Ｇ１への位置決めは、てんぷ構造体１Ａの時計素体４Ａへの組込み前に行われても、組込み後に行われてもよい。
【００６９】
この状態において、次に、保持具６０Ａの軸６１の一端の溝６５にドライバの如き工具ないし治具の先端が係合されて、保持具６０Ａの腕部６２がＡ１方向に回動され、保持具６０Ａのてん真係合部６３Ａとてん真２０Ａの保持具係合部５０Ａとの係合が解除される。この軸６１のＡ１方向回転も、自動組立機械のような機械の制御動作によって行われても、人の操作で行ってもよい。
【００７０】
保持具６０Ａが保持位置Ｐ１Ａから非保持位置Ｐ２ＡにＡ２方向に変位されると、中心側構造体５Ａに対する回転規制が解除されるので、中心側構造体５Ａは、ひげぜんまい１０のバネ力に応じて、中心軸線ＣのまわりでＣ２方向に回転される。
【００７１】
従って、中心側構造体５Ａのてん真２０Ａに取付けられた振り座２９の振り石２８が、回動位置Ｇ１において待受けているアンクル７１のさお７７の先端のハコ先７５，７５間に係合され、アンクル７１をＤ２方向に回動させる。
【００７２】
すなわち、このてんぷ構造体１Ａでは、中心側構造体５Ａが所定の角度回転した状態で保持具６０Ａによって保持されているので、アンクル７１を所定の回動位置Ｇ１に設定しておくだけで、ひげぜんまい１０のバネ力により、振り座２９の振り石２８とアンクル７１のさお７７の先端のハコ先７５，７５との係合を必然的に生じさせ得る。
【００７３】
すなわち、このてんぷ構造体１Ａでは、保持状態Ｓ１Ａにおいては、中心側構造体５Ａが所定の回転位置でてんぷ受３０に取付けられているので、てん真２０Ａの下側ほぞ部のてんぷ下軸受３９への組付けの際に必要となる振り座２９の振り石２８とアンクル７１のハコ先７５，７５との係合を実際上自動的に達成させることが可能になり、組付けの際に、ひげぜんまい１０が伸びたり、てん輪２６が汚れたり歪んだりする等の損傷を受ける虞れを最低限に抑え得る。
【００７４】
以上においては、あたかも当初の組立であるかのごとく説明したけれども、当然ながら、修理等の際に、時計３を少なくとも部分的に一旦分解してその後組立てる場合にも、以上の説明は、実際上同様にそのまま当てはまる。
【００７５】
なお、逆に、てんぷ構造体１やてんぷ構造体１Ａを時計本体素体４ａから取外す場合、まず、保持具６０，６０Ａの溝６５に工具を係合させて保持具６０，６０ＡをＡ１方向に回動させて、保持具６０，６０Ａのてん真係合部６３，６３Ａを対応する中心側構造体５，５Ａの保持具係合部５０，５０Ａに係合させ、次に、てんぷ受３０を地板７から外すと共に中心側構造体５，５Ａのてん真２０，２０Ａの下側ほぞ部をてんぷ下軸受３９から外せばよい。
【００７６】
ここで、横断面が円形の係合部６３，５０間の係合は、保持具６０の腕部６２をＡ１方向に回動させるだけで達成される。一方、横断面が非円形の係合部６３Ａ，５０Ａ間の係合に際しては、係合部６３Ａが位置Ｐ１Ａの近傍に達するまで保持具６０Ａの腕部６２をＡ１方向に回動させておき、該係合部６３Ａの凹部６４Ａの向きに適合するように中心側構造体５Ａを中心軸線Ｃのまわりで回動させることにより実現される。なお、凹部６４Ａの開口を先拡がりにしておいて、係合部６３Ａの凹部６４Ａの開口の先端にてん真２０Ａの係合部５０Ａが係合された後、保持具６０Ａの腕部６２をＡ１方向に回動させることにより、保持具６０Ａの係合部６３Ａの凹部６４Ａの先拡がりの開口側縁に案内されて中心側構造体５Ａの係合部５０Ａが中心軸線Ｃのまわりで回動されて、横断面が非円形の係合部６３Ａ，５０Ａ間の係合が達成されるようになっていてもよい。
【図面の簡単な説明】
【００７７】
【図１】保持状態にある本発明の好ましい一実施例のてんぷ構造体の底面（下面）説明図。
【図２】図１のてんぷ構造体が非保持状態（係合解除状態）にある場合についての図１と同様なの底面説明図。
【図３】図１のてんぷ構造体を時計本体素体に組込む直前の状態を示した断面説明図。
【図４】図１のてんぷ構造体を時計本体素体に組込んで形成された時計本体についての図３と同様な断面説明図。
【図５】変形例のてんぷ構造体についての図１と同様な平面説明図。
【図６】図５のてんぷ構造体が非保持状態（係合解除状態）にある場合についての図２と同様な平面説明図。
【図７】振り座の振り石とアンクルとがズレた相対位置にある場合の平面説明図。
【図８】図７の場合と異なり、アンクル及び振り石所定の相対位置関係を採るように、図５の保持具による振り石の保持位置を示した平面説明図。
【符号の説明】
【００７８】
１，１Ａ  てんぷ構造体
１ａ  てんぷ構造体素体
２，２Ａ  調速脱進器
２ａ  調速脱進器素体
３，３Ａ  機械式時計
４  時計本体
４ａ  時計本体素体
５，５Ａ  中心側構造体
７  地板
７ａ  てんぷ下軸受取付部
７ｂ  ほぞ受支持部
７ｃ  がんぎ真下軸受取付部
８  三番受
８ａ  がんぎ真上軸受取付部
９  アンクル受
９ａ  ほぞ受支持部
１０  ひげぜんまい
１１  内周側端部
１２  外周側端部
２０，２０Ａ  てん真
２１  大径軸部
２２，２３  中径軸部
２４  ひげ受
２４ａ  溶接部
２６  てん輪
２７  振り座体
２７ａ  管状部
２７ｂ  フランジ状部
２８  振り石
２９  振り座
３０  てんぷ受
３０ａ  円形孔
３１  周壁部
３２  開口部
３３  てんぷ上軸受
３３ａ  てんぷ上外枠
３３ｂ  てんぷ可動穴石枠体
３３ｃ  てんぷ上穴石
３３ｄ  てんぷ上受石
３３ｅ  てんぷ上受石押えばね
３４  孔
３５  ひげ持構造体
３６  ひげ持受
３７  ひげ持
３８  ひげ持受ねじ
３９  てんぷ下軸受
３９ａ  ほぞ穴
４０  緩急針構造体
４１  ひげ棒
４２  緩急針本体
４３  緩急針尾部
４４  微動レバー
５０，５０Ａ  保持具係合部
５１，５２  平面
５３，５４  円弧状部分
６０，６０Ａ  保持具（保持部品）
６１  円柱状軸部
６２  腕部
６３，６３Ａ  てん真係合部
６４，６４Ａ  凹部
６４ａ  底壁部
６４ａＡ  底壁部
６４ｂ  平面状側壁部
６４ｂＡ  平面状側壁部
６５  係合溝
７０  脱進器
７１  アンクル
７２  アンクル真
７２ａ  下側ほぞ部
７２ｂ  下側ほぞ受
７２ｃ  上側ほぞ部
７２ｄ  アンクル真上側ほぞ受
７３  がんぎ車
７４  がんぎ真
７４ａ  下側ほぞ部
７４ｂ  がんぎ真下軸受
７４ｃ  上側ほぞ部
７４ｄ  がんぎ真上軸受
７５  ハコ先
７６  剣先
７７  アンクルさお
７８  入ツメ
７９  出ツメ
Ａ，Ｃ，Ｄ，Ｅ  中心軸線
Ａ１，Ａ２，Ｃ１，Ｃ２，Ｄ１，Ｄ２，Ｅ１，Ｅ２  回動方向
Ｂ１，Ｂ２  方向
Ｃｆ  回動位置
Ｆ  長円形状
Ｐ１，Ｐ１Ａ  係合（保持）位置
Ｐ２，Ｐ２Ａ  係合（保持）解除位置
Ｓ１，Ｓ１Ａ  係合（保持）状態
Ｓ２，Ｓ２Ａ  係合（保持）解除状態
【図１】
0005166010.tif 000002
【図２】
0005166010.tif 000003
【図３】
0005166010.tif 000004
【図４】
0005166010.tif 000005
【図５】
0005166010.tif 000006
【図６】
0005166010.tif 000007
【図７】
0005166010.tif 000008
【図８】
0005166010.tif 000009